(57)【要約】【課題】外形が放物面あるいは球面形状の反射鏡を有したランプを、省スペース、且つ自由に配置位置を設定できる内視鏡光源のランプ保持装置が望まれている。【解決手段】発光部と反射鏡１及び口金部１３とを有するランプユニット２と、このランプユニットの光出射面と４平行に配置された取付板５と、ランプユニットの反射鏡から口金部の外周に装着されて、光軸方向へ押圧する弾性部材６と、この弾性体を装着したランプユニットの光軸方向に沿って被冠させる筒状体の一端に設けたランプユニットの光出射面の外周と当接すると共に出射光を放射させる窓８が穿設された天板９と、この筒状体の他端に設けた被冠したランプユニットに装着された弾性部材の弾性力に反して取付板に固定する取付脚１１とからなるランプカバー部材７からなる内視鏡用光源のランプ保持装置。【選択図】      図１
2004355973.tif 000002
【特許請求の範囲】
【請求項１】
発光部と、外形が放物面、あるいは球面形状の反射鏡と、及び口金部とを有するランプユニットと、
このランプユニットの光出射面と平行に配置された取付板と、
前記ランプユニットの反射鏡から口金部の外周に装着されて、ランプユニットを光軸方向へ押圧する弾性部材と、
この弾性体を装着した前記ランプユニットの光軸方向に沿って被冠させる筒状体で、この筒状体の一端に設けた前記ランプユニットの光出射面の外周と当接すると共に出射光を放射させる窓が穿設された天板と、この筒状体の他端に設けた被冠したランプユニットに装着された弾性部材の弾性力に反して前記取付板に固定する取付部とからなるランプカバー部材と、
を具備することを特徴とした内視鏡用光源のランプ保持装置。
【請求項２】
前記取付板は、前記ランプユニットの口金部の外径よりも大きく、かつ前記ランプユニットの反射鏡の最大外径よりも小さい開口を有し、この開口に前記ランプユニットの口金部、もしくは口金部と反射鏡の外周の一部が挿通された状態でランプユニットが取付固定されることを特徴とした請求項１記載の内視鏡用光源のランプ保持装置。
【発明の詳細な説明】
【０００１】
【発明の属する技術分野】
本発明は、内視鏡用光源のランプ保持装置に関する。
【０００２】
【従来の技術】
従来、発光部と、その発光部から照射された光を所定方向に反射する反射鏡が一体に形成されたランプの取付保持には、ランプから照射された光を透過させる開口と、その開口の周辺にランプの光照射側の外周部を嵌合保持する保持部を有するランプ取付板と、そのランプ取付板に嵌合保持させたランプの背面から弾性体で固定する構造が用いられている。
【０００３】
このランプの具体的な取付固定構造について、図１２と図１３を用いて説明する。なお、図１２は従来のランプ保持装置で、図１２（ａ）は背面から見た斜視図、図１２（ｂ）は側面図、図１３は従来のランプ保持装置で、図１３（ａ）は側面図、図１３（ｂ）は背面図である。
【０００４】
最初に図１２を用いて説明する。ランプ３１は、図示していない発光部と、その発光部から照射された光を所定方向に反射させるミラー部３２と、及びミラー部３２の口縁に設けたフランジ３３とが一体に形成されている。このランプ３１は、断面Ｌ字形に折曲形成されたホルダー３４に取付保持されるようになっている。
【０００５】
このホルダー３４の垂直部には、ランプ３１のミラー部３２の内径に見合う開口が設けられ、この開口の下半部の外周面に３個の鉤型折曲片３５〜３７が切り起こし形成され、この鉤型折曲片３５〜３７にランプ３１のフランジ３３が嵌合するようになっている。
【０００６】
さらに、前記ランプ３１のミラー部３２の背面は、左右対称に成型されたバネ材３８で押圧されている。このバネ材３８の左右略中央部分は、前記ランプ３１のミラー部３２の背面に接触するように成型された押圧部３９が設けられ、バネ材３８の両端部は、ホルダー３４に設けられたバネ材係合孔４０に係合固定され、かつ、図中下側の中心部は、前記鉤型折曲片３７に弾性に抗して係合されるようになっている。
【０００７】
つまり、ランプ３１は、ホルダー３４の鉤型折曲片３５〜３７にフランジ３３を嵌合させた後、バネ材３８の両端をホルダー３４のバネ材係合孔４０に係合固定し、かつ、バネ材３４の中央部を鉤型折曲片３７に係合させることでホルダー３４とバネ材３８で挟持された状態で取付固定されている（例えば、特許文献１参照）。
【０００８】
また、図１３に示すように、ランプ４１は、図示していない発光部と、その発光部から照射された光を所定方向に反射させるミラー部と、及びミラー部の口縁に設けたフランジとが一体に形成されている。このランプ４１のフランジの前面側の一部に凸部４４が設けられている。この凸部４４は、後述するランプ１が取り付けられる地板４３への取付位置規制するものである。
【０００９】
前記ランプ４１が取り付けられる地板４３は、略正面に前記ランプ４１のミラー部の内径に略等しい開口が設けられ、この開口の外周面に前記ランプ４１のフランジが当接されるようになっている。この地板４３に設けられた開口の図中上部中央は、前記ランプ４１のフランジに設けられた凸部４４が装着嵌合される切り欠け部４３ａが設けられている。この地板４２の下側の中央部に一端が固定され、先端が左右対称の二股形状に形成され、前記ランプ４１のミラー部の背面に弾性的に押圧接触する押さえ板４２が設けられている。
【００１０】
つまり、前記地板４３と、この地板４３に一端が取り付け固定された押さえ板４２の二股に形成された先端部との間に、図１３（ａ）に示す点線位置状態から実線で示す位置状態に押さえ板４２を弾性変形させながらランプ４１を装着して、前記ランプ４１のフランジに設けられている凸部４４を地板４３の切り欠け部４３ａに嵌合させる。
【００１１】
これにより、前記ランプ４１は、前記切り欠け部４３ａと凸部４４とに地板４３に対する上下左右方向の位置規制がされ、かつ、押さえ板４２により地板４３の弾性的に固定保持されている（例えば、特許文献２参照）。
【００１２】
【特許文献１】
実開昭５４−１４１１９５号公報
【００１３】
【特許文献２】
実開昭５０−７９２９２号公報
【００１４】
【発明が解決しようとする課題】
従来、内視鏡の照明用の光源装置に搭載されるランプには、ハロゲンランプやキセノンランプ等の様々な種類のランプが用いられている。これらランプの種類に応じて、ランプの取付固定方法が異なるが、例えば、ハロゲンランプのように、発光部と外形が放物面あるいは球面形状の反射鏡を一体に形成したランプを用いる場合は、前述した特許文献１や特許文献２で提案されている取付固定方法が用いられることが多い。
【００１５】
また、容易にランプ交換が可能な構造とするため、ランプ交換用の扉を筐体に設けるとともに、ランプ取付板を筐体外へ引き出すための移動機構を設けることも多い。
【００１６】
ところで、近年の内視鏡用の光源装置は、小型化を図るために、光源装置の内部に配置される各種部品を密集させており、所望の位置にランプ取付板を配置するための空間確保が従来に比べて困難となっている。
【００１７】
さらに、従来のようなランプ取付板の光を透過させる開口の外周にランプを配置する構造であると、光源装置内でのランプ取付板の配置が決まると、同時にランプの取付位置も決まってしまい、特に光軸方向への配置については、ランプ、レンズ群、光学フィルター、絞り機構等の多くの光学部品を順序良く配置させなくてはならず、さらに空間確保が困難となっている。
【００１８】
一方、キセノンランプのように、外形が放物面や球面形状の反射鏡を有していないランプを用いる場合は、キセノンランプの点灯不良などの故障時に備え、反射鏡一体型のハロゲンランプなどの非常灯を搭載することが一般的である。この非常灯は、回動自在に設けられた取付板に固定され、キセノンランプ点灯の異常を検知した場合は、取付板が回動して、光路上に非常灯を配置する機構が設けられているために、前述したハロゲンランプと同じような問題がある。
【００１９】
本発明は、上記事情に鑑みなされたもので、外形が放物面あるいは球面形状の反射鏡を有したランプを、省スペースで、且つランプの配置位置の自由度が大きいランプ取付構造を有する内視鏡光源のランプ保持装置を提供することを目的としている。
【００２０】
【課題を解決するための手段】
本発明の内視鏡用光源のランプ保持装置は、発光部と、外形が放物面、あるいは球面形状の反射鏡と、及び口金部とを有するランプユニットと、このランプユニットの光出射面と平行に配置された取付板と、前記ランプユニットの反射鏡から口金部の外周に装着されて、ランプユニットを光軸方向へ押圧する弾性部材と、この弾性体を装着した前記ランプユニットの光軸方向に沿って被冠させる筒状体で、この筒状体の一端に設けた前記ランプユニットの光出射面の外周と当接すると共に出射光を放射させる窓が穿設された天板と、この筒状体の他端に設けた被冠したランプユニットに装着された弾性部材の弾性力に反して前記取付板に固定する取付部とからなるランプカバー部材と、を具備することを特徴としている。
【００２１】
本発明の内視鏡用光源のランプ保持装置の前記取付板は、前記ランプユニットの口金部の外径よりも大きく、かつ前記ランプユニットの反射鏡の最大外径よりも小さい開口を有し、この開口に前記ランプユニットの口金部、もしくは口金部と反射鏡の外周の一部が挿通された状態でランプユニットが取付固定されることを特徴としている。
【００２２】
本発明の内視鏡用光源のランプ保持装置は、外形が放物面あるいは球面形状の反射鏡を有したランプを、省スペースで、且つランプの配置位置の自由度が大きいランプ取付構造を提供することができる。
【００２３】
【発明の実施の形態】
以下、図面を参照して本発明の実施の形態について詳細に説明する。本発明に係る内視鏡用光源のランプ保持装置の第１の実施形態について図１乃至図４を用いて説明する。
【００２４】
図１は本発明に係る内視鏡用光源のランプ保持装置の第１の実施形態の構成を示す側断面図、図２は本発明に係る内視鏡用光源のランプ保持装置の第１の実施形態の構成を示す上面図、図３は本発明に係る内視鏡用光源のランプ保持装置の第１の実施形態に用いるランプカバー部材の変形例を示す斜視図、図４は本発明に係る内視鏡用光源のランプ保持装置の第１の実施形態のランプユニットとランプカバー部材の変形例を示す側断面図である。
【００２５】
本発明の第１の実施形態の内視鏡用光源のランプ保持装置は、図１と図２に示すように、図示していない発光部を内蔵し、その発光部の外周に外形が放物面あるいは球面形状を有する反射鏡１と口金部１３を有したランプユニット２と、このランプユニット２の口金部１３に接続されて点灯電力を供給するソケット３と、前記ランプユニット２を取付固定する取付板５と、この取付板５に取付固定された前記ランプユニット２を保護するランプカバー部材７からなっている。
【００２６】
前記ランプユニット２の発光部からの光は、反射鏡１で反射されて、反射鏡の出射面から略同一方向に出射されるようになっている。
【００２７】
前記取付板５は、前記ランプユニット２の出射面４と略平行に配置されると共に、ランプユニット２の口金部１３が挿通される開口１４が設けられている。この開口１４の内径状は、前記ランプユニット２の口金部１３の外径状よりも大きく、ランプユニット２の反射鏡１の最大外径状よりも小さい形状に形成されている。
【００２８】
この取付板５の開口１４に前記ランプユニット２の口金部１３を挿通する際に、前記口金部１３の外周にコイル状のバネからなる弾性部材６を装着し、その弾性部材６の一端は前記ランプユニット２の反射鏡１の外周面の略中央部分に当接し、他端は前記開口１４の外周の取付板５の表面に当接されるようになっている。つまり、前記弾性部材６の外径状は、前記取付板５の開口１４よりも大きく、前記ランプユニット２の反射鏡１の最大外径状よりも小さい形状に形成されている。
【００２９】
前記ランプカバー部材７は、全体形状が略円筒形状に形成された側壁部１０と、この側壁部１０の一端には、前記ランプユニット２の出射面４から出射される光を透過させる窓８が穿設されている天板９が設けられ、前記側壁部１０の他端には、この側壁部１０に対して外方向に等間隔で４方向に、前記天板９と平行に折曲形成した取付脚１１とからなっている。なお、このランプカバー部材７の天板９の内径状は、前記ランプユニット２の出射面４の外周のフランジが当接される形状に形成されている。
【００３０】
このような構成の取付板５、弾性部材６、及びランプカバー部材７を用いたランプユニット２の取付作用について説明する。
【００３１】
最初に、ランプユニット２の反射鏡１の外周面と口金部１３の外周に弾性部材６を装着する。この弾性部材６が装着されたランプユニット２の口金部１３を取付板５の開口１４に挿通させる。次に、ランプカバー部材７を取付脚１１側から前記ランプユニット２に被せるように装着させ、ランプユニット２の出射面４の外周のフランジに天板９を当接させた状態でランプカバー部材７を取付板５側へと押し下げる。このランプカバー部材７の取付脚１１が取付板５に押し下げ当接した後、取付脚１１をネジ１２で取付板５にネジ止め固定する。
【００３２】
これにより、前記ランプユニット２の反射鏡１の外周面と、取付板５との間に介在された弾性部材６の弾性力によりランプユニット２は、ランプカバー部材７の天板９へと押圧取り付けられ、ランプカバー部材７の天板９と側壁部１０によってランプユニット２の上下方向、及び、左右方向の取付位置も規制される。
【００３３】
なお、前記取付板５は、図示していないが、移動機構に延在固定させ、ランプユニット２を光路内外へ移動できるようにすることもできる。
【００３４】
また、前記ランプカバー部材７は、図３に示すように、絞り加工成型や射出成型等により天板９’、側壁部１０’、及び円形状の取付脚１１’からなるランプカバー部材７’としても良い。
【００３５】
さらに、前記ランプユニット２の反射鏡１の外周面と取付板５との間に介在された弾性部材６に代えて、図４に示すように、ランプユニット２の出射面４の外周のフランジと、ランプカバー部材７の天板９との間に弾性部材１５を介在させ、ランプユニット２の反射鏡１の外周を取付板５の開口１４の稜線エッジ１６に当接されて取付固定させても良い。
【００３６】
なお、上述の第１の実施形態では、前記ランプカバー部材７の取付脚１１を等間隔に４つ設けているが、ランプカバー部材７の対向線上に２つ設けて良い。
【００３７】
この第１の実施の形態によれば、従来のような取付板の開口側にランプユニット２を配置し、ランプユニット２の出射面位置が取付板の位置に依存していた構造とは異なり、取付板５の配置が決まっても、弾性部材６の高さや弾性係数、ランプカバー部材７の天板９の高さ、及び取付板５に設けた開口１４の大きさなどを変更することで、容易にランプユニット２を光軸方向の所望の位置に配置することが可能となる。
【００３８】
特に弾性部材６は、一般で市販されているコイルバネ等を使用することにより、バネ定数や外径、巻き数等を自由に選択でき、安価であるとともに入手も容易である。従って省スペースで、且つ配置の自由度が大きい内視鏡用光源のランプ保持装置を提供することができる。
【００３９】
次に、本発明に係る内視鏡用光源のランプ保持装置の第２の実施形態について、図５乃至図６を用いて説明する。
【００４０】
図５は本発明に係る内視鏡用光源のランプ保持装置の第２の実施形態の構成を示す側断面図、図６は本発明に係る内視鏡用光源のランプ保持装置の第２の実施形態の作用を示す上面図である。なお、図１乃至図４と同一部分は、同一符号を付して詳細説明は省略する。
【００４１】
この第２の実施形態と前述した第１の実施形態は、ランプカバー部材７と取付板５が相違する。
【００４２】
前述の第１の実施形態のランプカバー部材７の側壁部１０の他端に設けられている取付脚１１に代えて、この第２の実施形態のランプカバー部材７の側壁部１０の他端には、外方向に等間隔で、前記天板９と略平行に折曲形成した４つの爪部１７が設けられている。
【００４３】
一方、前記取付板５には、ランプユニット２の口金部１３が挿通される開口１４の外周表面に、等間隔で前記取付板５から切り起こし、かつ、前記開口１４側に立ち曲げた立ち曲げ部１８が設けられている。つまり、取付板５の開口１４の外周面には、取付板５の表面から切り起こし立ち曲げ形成した立ち曲げ部１８と、その立ち曲げ部１８と取付板５の表面との間に間隙１９が形成されている。
【００４４】
つまり、前記取付板５に設けられた立ち曲げ部１８と取付板５の表面との間に形成された間隙１９に前記ランプカバー部材７の爪部１７が嵌合装着されるようになっている。
【００４５】
このような構成の取付板５とランプカバー部材７を用いてランプユニット２の保持取付作用について説明する。
【００４６】
最初に、ランプユニット２の反射鏡１の外周面と口金部１３の外周に弾性部材６を装着し、この弾性部材６が装着されたランプユニット２の口金部１３を取付板５の開口１４に挿通させる。次に、ランプカバー部材７を爪部１７側から前記ランプユニット２に被せるように装着させ、ランプユニット２の出射面４の外周のフランジに天板９を当接させた状態でランプカバー部材７を取付板５側へと押し下げる。このランプカバー部材７が押し下げられ爪部１７が取付板５の表面に当接した後、図６の図中矢印方向に回転させて、前記爪部１７を前記立ち曲げ部１８の間隙１９へと摺動嵌合させる。
【００４７】
これにより、前記ランプカバー部材７は、爪部１７が取付板５の立ち曲げ部１８で固定されると共に、前記ランプユニット２の反射鏡１の外周面と、取付板５との間に介在された弾性部材６の弾性力によりランプユニット２は、ランプカバー部材７の天板９へと押圧取り付けられ、ランプカバー部材７の天板９と側壁部１０によってランプユニット２の上下方向、及び、左右方向の取付位置も規制される。
【００４８】
なお、前記取付板５は、図示していないが、移動機構に延在固定させ、ランプユニット２を光路内外へ移動できるようにすることもできる。
【００４９】
また、前記ランプカバー部材７は、図３に示すように、絞り加工成型や射出成型等により形成しても良い。
【００５０】
さらに、前記ランプユニット２の反射鏡１の外周面と取付板５との間に介在された弾性部材６に代えて、図４に示すように、ランプユニット２の出射面４の外周のフランジと、ランプカバー部材７の天板９との間に弾性部材１５を介在させ、ランプユニット２の反射鏡１の外周を取付板５の開口１４の稜線エッジ１６に当接されて取付固定させても良い。
【００５１】
なお、上述の第２の実施形態では、前記ランプカバー部材７の爪部１７と、前記取付板５の立ち曲げ部１８を等間隔に４つ設けているが、対向線上に２つ設けて良い。
【００５２】
次に、本発明に係る内視鏡用光源のランプ保持装置の第３の実施形態について、図７乃至図１０を用いて説明する。図７は本発明に係る内視鏡用光源のランプ保持装置の第３の実施形態の構成を示す側断面図、図８は本発明に係る内視鏡用光源のランプ保持装置に用いる取付板に設ける爪部係合孔を示す上面図、図９は本発明に係る内視鏡用光源のランプ保持装置の第３の実施形態におけるランプカバー部材の取付作用を説明する平面図、図１０は本発明に係る内視鏡用光源のランプ保持装置の第３の実施形態におけるランプカバー部材の取付状態を示す平面図である。なお、図５乃至図６と同一部分は、同一符号を付して詳細説明は省略する。
【００５３】
この第３の実施形態は、前述した第２の実施形態の取付板５に設けられている立ち曲げ部１８に代えて、爪部係合孔２１を設けている。
【００５４】
この第３の実施形態のランプカバー部材７の側壁部１０の他端には、前記第２の実施形態と同様な外方向に等間隔で、前記天板９と略平行に折曲形成した４つの爪部１７が設けられている。
【００５５】
一方、前記取付板５には、図８に示すように、ランプユニット２の口金部１３が挿通される開口１４の外周に、等間隔で、４つの爪部係合孔２１が穿設されている。この爪部係合孔２１は、前記爪部１７よりも若干大きい相似形の爪部挿通孔部２２と、爪部１７の板厚よりも多少大きめの幅を有し、前記爪部挿通孔部２２と連通している爪部摺動孔部２３とからなっている。
【００５６】
つまり、取付板５の開口１４の外周面には、等間隔で爪部係合孔２１が設けられ、この爪部係合孔２１の爪部挿通孔部２２に前記ランプカバー部材７の爪部１７を挿通させた後に、ランプカバー部材７を回動させて爪部摺動孔部２３に摺動嵌合させることで、前記ランプカバー部材７を前記取付板５に装着可能となる。
【００５７】
即ち、ランプユニット２の反射鏡１の外周面と口金部１３の外周に弾性部材６を装着し、この弾性部材６が装着されたランプユニット２の口金部１３を取付板５の開口１４に挿通させた後に、ランプカバー部材７の爪部１７側から前記ランプユニット２に被せるように装着させ、ランプユニット２の出射面４の外周のフランジに天板９を当接させた状態でランプカバー部材７を取付板５側へと押し下げる。この押し下げたランプカバー部材７の爪部１９を図９に示すように、取付板５の爪部係合孔２１の爪部挿通孔部２２に挿通する。
【００５８】
このランプカバー部材７の爪部１７が取付板５の爪部係合孔２１の爪部挿通孔部２２に挿通された後、図９の矢印方向に摺動させると、図１０に示すように、前記爪部１９は前記爪部摺動孔部２３に摺動嵌合させる。
【００５９】
これにより、前記ランプカバー部材７の爪部１９が取付板５の爪部係合孔２１に固定されると共に、前記ランプユニット２の反射鏡１の外周面と、取付板５との間に介在された弾性部材６の弾性力によりランプユニット２は、ランプカバー部材７の天板９へと押圧取り付けられ、ランプカバー部材７の天板９と側壁部１０によってランプユニット２の上下方向、及び、左右方向の取付位置も規制される。
【００６０】
なお、前記取付板５は、図示していないが、移動機構に延在固定させ、ランプユニット２を光路内外へ移動できるようにすることもできる。
【００６１】
また、前記ランプカバー部材７は、図３に示すように、絞り加工成型や射出成型等により形成しても良い。
【００６２】
さらに、前記ランプユニット２の反射鏡１の外周面と取付板５との間に介在された弾性部材６に代えて、図４に示すように、ランプユニット２の出射面４の外周のフランジと、ランプカバー部材７の天板９との間に弾性部材１５を介在させ、ランプユニット２の反射鏡１の外周を取付板５の開口１４の稜線エッジ１６に当接されて取付固定させても良い。
【００６３】
なお、上述の第２の実施形態では、前記ランプカバー部材７の爪部１７と、前記取付板５の爪部係合孔２１を等間隔に４つ設けているが、対向線上に２つ設けて良い。
【００６４】
次に、本発明に係る内視鏡用光源のランプ保持装置の第４の実施形態について、図１１を用いて説明する。
【００６５】
図７は本発明に係る内視鏡用光源のランプ保持装置の第４の実施形態の構成を示す側断面図である。なお、図１と同一部分は、同一符号を付して詳細説明は省略する。
【００６６】
この第４の実施形態の内視鏡用光源のランプ保持装置は、図１５に示すように、前記ランプカバー部材７の天板９と対向する側壁部１０の他端の内周面に雌ねじ２６が形成されている。
【００６７】
一方、取付板５には、前記ランプユニット２の口金部１３が挿通される開口１４を中心とし、その開口１４の周辺を断面凸状に形成した凸状部２７が設けられ、この凸状部２７の外周に雄ねじ２８が形成されている。
【００６８】
つまり、前記ランプカバー部材７の側壁部１０の他端内周に設けた雌ねじ２６が螺合する雄ねじ２８を有する凸状部２７を形成し、その凸状部２７の中心には、前記ランプユニット２の口金部１３が挿通される開口１４が形成されている。
【００６９】
これにより、前記ランプカバー部材７の雌ねじ２６を取付板５の凸状部２７の雄ねじ２８に螺合させることで、ランプカバー部材７の内部に配置したランプユニット２は、弾性部材６で保持固定される。
【００７０】
［付記］
以上詳述した本発明の実施形態によれば、以下のごとき構成を得ることができる。
【００７１】
（付記１）  発光部と、外形が放物面、あるいは球面形状の反射鏡と、及び口金部とを有するランプユニットと、
このランプユニットの光出射面と平行に配置された取付板と、
前記ランプユニットの反射鏡から口金部の外周に装着されて、ランプユニットを光軸方向へ押圧する弾性部材と、
この弾性体を装着した前記ランプユニットの光軸方向に沿って被冠させる筒状体で、この筒状体の一端に設けた前記ランプユニットの光出射面の外周と当接すると共に出射光を放射させる窓が穿設された天板と、この筒状体の他端に設けた被冠したランプユニットに装着された弾性部材の弾性力に反して前記取付板に固定する取付部とからなるランプカバー部材と、
を具備することを特徴とした内視鏡用光源のランプ保持装置。
【００７２】
（付記２）  前記取付板は、前記ランプユニットの口金部の外径よりも大きく、かつ前記ランプユニットの反射鏡の最大外径よりも小さい開口を有し、この開口に前記ランプユニットの口金部、もしくは口金部と反射鏡の外周の一部が挿通された状態でランプユニットが取付固定されることを特徴とした付記１記載の内視鏡用光源のランプ保持装置。
【００７３】
（付記３）  前記ランプカバー部材の取付部は、少なくと２つ以上の取付脚を有し、この取付脚を前記取付板にネジ止め固定することを特徴とした付記１または２のいずれかに記載の内視鏡用光源のランプ保持装置。
【００７４】
（付記４）  前記ランプカバー部材の取付部は、少なくとも２つ以上の爪部を有し、この爪部を前記取付板に切り欠け形成した立ち曲げ部、または爪部係合孔に嵌合固定させることを特徴とした付記１または２のいずれかに記載の内視鏡用光源のランプ保持装置。
【００７５】
（付記５）  前記ランプカバー部材の筒状体の他端内周に雌ねじ部を設け、前記取付板の開口周面に雄ねじ部を設けた凸状部を形成し、前記雌ねじ部と雄ねじ部とを螺合させて、前記ランプカバー部材を前記取付板に取付固定することを特徴とした付記１または２のいずれかに記載の内視鏡用光源のランプ保持装置。
【００７６】
（付記６）  外径が放物面あるいは球面形状の反射鏡を有してなるランプユニットと、
ランプ出射面と平行に配置された取付板と、
ランプユニットの反射鏡外径を光軸方向へ押圧する弾性部材と、反射鏡外径に近接し、ランプユニットの光軸に対して垂直な方向を規制する側壁部と、ランプ出射光を放出する窓を有した天板とから成り、弾性部材の押圧力に反して取付板に固定されるランプカバー部材と、
を具備したことを特徴とする内視鏡用光源装置のランプ保持構造。
【００７７】
（付記７）取付板が、ランプユニットの頸部外形よりも大きく、かつ反射鏡の最大外形よりも小さい開口を有し、ランプユニットの頸部、もしくは頸部と反射鏡の一部が上記開口に挿入された状態で、ランプユニットが固定されることを特徴とする付記６に記載の内視鏡用光源装置のランプ保持構造。
【００７８】
【発明の効果】
本発明の内視鏡用光源のランプ保持装置は、ランプユニットを取付る取付板の配置が決まっても、弾性部材の高さや弾性係数、ランプカバー部材の天板の高さ、及び取付板に設けたランプの口金部を挿通させる開口の大きさなどを自由に変更することができ、ランプユニットの光軸方向の所望の位置に省スペースで配置できる効果を有している。
【図面の簡単な説明】
【図１】本発明に係る内視鏡用光源のランプ保持装置の第１の実施形態の構成を示す側断面図。
【図２】本発明に係る内視鏡用光源のランプ保持装置の第１の実施形態の構成を示す上面図。
【図３】本発明に係る内視鏡用光源のランプ保持装置の第１の実施形態に用いるランプカバー部材の変形例を示す斜視図。
【図４】本発明に係る内視鏡用光源のランプ保持装置の第１の実施形態のランプユニットとランプカバー部材の変形例を示す側断面図。
【図５】本発明に係る内視鏡用光源のランプ保持装置の第２の実施形態の構成を示す側断面図。
【図６】本発明に係る内視鏡用光源のランプ保持装置の第２の実施形態の作用を示す上面図。
【図７】本発明に係る内視鏡用光源のランプ保持装置の第３の実施形態の構成を示す側断面図。
【図８】本発明に係る内視鏡用光源のランプ保持装置に用いる取付板に設ける爪部係合孔を示す上面図。
【図９】本発明に係る内視鏡用光源のランプ保持装置の第３の実施形態におけるランプカバー部材の取付作用を説明する平面図。
【図１０】本発明に係る内視鏡用光源のランプ保持装置の第３の実施形態におけるランプカバー部材の取付状態を示す平面図。
【図１１】本発明に係る内視鏡用光源のランプ保持装置の第４の実施形態の構成を示す側断面図。
【図１２】従来のランプ保持装置で、図１２（ａ）は背面から見た斜視図、図１２（ｂ）は側面図、
【図１３】従来のランプ保持装置で、図１３（ａ）は側面図、図１３（ｂ）は背面図。
【符号の説明】
１…反射鏡
２…ランプユニット
３…ソケット
４…出射面
５…取付板
６…弾性部材
７…ランプカバー部材
８…窓
９…天板
１０…側壁部
１１…取付脚
１２…ネジ
１３…口金部
１４…開口
【図１】
2004355973.tif 000003
【図２】
2004355973.tif 000004
【図３】
2004355973.tif 000005
【図４】
2004355973.tif 000006
【図５】
2004355973.tif 000007
【図６】
2004355973.tif 000008
【図７】
2004355973.tif 000009
【図８】
2004355973.tif 000010
【図９】
2004355973.tif 000011
【図１０】
2004355973.tif 000012
【図１１】
2004355973.tif 000013
【図１２】
2004355973.tif 000014
【図１３】
2004355973.tif 000015